(57)【特許請求の範囲】
【請求項１】
通信回線を介して、相手先通信装置から画像データを受信する受信手段と、上記受信手段によって受信した画像データを記録媒体に記録する記録手段とを有する画像通信装置において、
記録動作を通常よりも静かに行う静音記録手段と；
記録動作開始時の動作モードが、ファクシミリ受信動作時の記録動作であるか、それ以外の記録動作であるかを判別する動作判別手段と；
記録動作開始時における動作モードが、上記ファクシミリ受信動作時の記録動作である場合には、上記静音記録手段を動作させ、通常よりも静かに記録動作を行わせ、一方、記録動作開始時における動作モードが、ファクシミリ受信動作時以外の記録動作である場合には、通常通りの記録動作を行わせる制御手段と；
を有することを特徴とする画像通信装置。
【請求項２】
通信回線を介して、相手先通信装置から画像データを受信する受信手段と、上記受信手段によって受信した画像データを記録媒体に記録する記録手段とを有する画像通信装置において、
記録動作を通常よりも静かに行う静音記録手段と；
通信回線を介して、相手先通信装置から呼出信号を着信したときに呼出音を鳴動させる／鳴動させないという鳴動状態を設定する呼出音鳴動設定手段と；
上記呼出音鳴動設定手段によって、呼出音を鳴動させない状態に設定した場合には、上記静音記録手段を動作させることによって、通常よりも静かに記録動作を行わせる制御手段と；
を有することを特徴とする画像通信装置。
【請求項３】
請求項２において、
記録動作開始時の動作モードが、ファクシミリ受信動作時の記録動作であるか、または、それ以外の記録動作であるかを判別する動作判別手段を有し、
上記制御手段は、上記呼出音鳴動設定手段によって、呼出音を鳴動させない状態に設定した場合であり、しかも記録動作開始時の動作モードが、ファクシミリ受信動作時の記録動作である場合には、上記静音記録手段を動作させ、通常よりも静かに記録動作を行わせ、一方、上記呼出音鳴動設定手段によって、呼出音を鳴動させない状態に設定した場合でも、ファクシミリ受信動作以外の記録動作の場合には、通常通りの記録動作を行わせる手段であることを特徴とする画像通信装置。
【請求項４】
請求項２において、
上記静音記録手段によって記録動作する記録モードであるか、または、通常通りの記録動作を行わせる記録モードであるかを、オペレータが設定可能な記録モード設定手段を有し、
上記制御手段は、上記記録モード設定手段によって、記録動作が通常記録モードに設定されていた場合にも、上記呼出音鳴動設定手段によって、設定された呼出音の鳴動状態が呼出音を鳴動させない状態に設定されている場合にも、上記静音記録手段を動作させることによって通常よりも静かに記録動作を行わせる手段であることを特徴とする画像通信装置。
【請求項５】
請求項４において、
記録動作開始時に、動作モードがファクシミリ受信動作時の記録動作であるか、または、それ以外の記録動作であるかを判別する記録動作判別手段を有し、
上記制御手段は、上記記録モード設定手段によって、記録動作が通常記録モードに設定されていた場合にも、上記呼出音鳴動設定手段によって、呼出音を鳴動させない状態に設定した場合であり、しかも記録動作開始時の動作モードがファクシミリ受信動作時の記録動作である場合には、上記静音記録手段を動作させることによって、通常よりも静かに記録動作を行わせ、それ以外の場合は、通常通りの記録動作を行わせる手段であることを特徴とする画像通信装置。
【発明の詳細な説明】
【０００１】
【発明の属する技術分野】
本発明は、通常よりも静かに記録動作を行うことが可能な記録部を備えているファクシミリ装置等の画像通信装置に関する。
【０００２】
【従来の技術】
従来、ファクシミリ装置等の画像通信装置は、常時電話回線に接続され、昼夜を問わず、受信した画像データを記録する。
【０００３】
そこで、従来、ファクシミリ装置等の画像通信装置は、呼出信号着信時の呼出音を鳴動させる／鳴動させないという設定を行う設定手段を有し、この設定手段によって、呼出音を鳴動させない状態に設定しておくことによって、通信回線を介して、相手先通信装置から呼出信号を着信したときにも、呼出音が鳴動しないので、深夜等の騒音の低下にある程度の効果がある。
【０００４】
【発明が解決しようとする課題】
しかし、呼出音の設定を無鳴動に設定し、呼出音を鳴動させずに受信しても、受信した画像データの記録動作に伴う騒音が発生し、騒音低下効果が不十分であるという問題がある。
【０００５】
また、特開２０００−１５１９０６公報には、記録動作を通常よりも静かに行わせる手段を有する記録部を搭載し、記録時の騒音を抑制するファクシミリ装置が提案されている。しかし、上記公報に記載されている発明では、静音記録モードの設定と呼出音の鳴動設定とは別に設定され、それぞれの設定に従った動作を行うので、せっかく呼出音を無鳴動に設定していても、記録動作に伴う騒音が発生し、騒音低下効果が不十分であるという問題がある。
【０００６】
また、記録動作を静音記録モードで行わせた場合には、通常よりも騒音を抑えて記録できる反面、記録速度が低下するという問題がある。たとえば、コピーやメモリ受信記録を行う場合に、特に、データ量が多い場合には、静音記録モードで記録させると、処理時間がより長くなり、オペレータの作業能率が悪化するという問題がある。
【０００７】
本発明は、呼出音の設定を無鳴動に設定している場合や、記録動作開始時の動作モードが、ファクシミリ受信動作である場合には、騒音低下効果を高めることができ、また、呼出音を鳴動設定にした場合や、コピー動作時等は、記録速度の低下を防ぐことができる画像通信装置を提供することを目的とするものである。
【０００８】
【課題を解決するための手段】
本発明は、呼出音の設定を無鳴動に設定している場合や、記録動作開始時の動作モードが、ファクシミリ受信動作である場合には、通常よりも静かな静音モードで記録動作を実行させ、また、呼出音を鳴動設定にした場合や、コピー動作時等は、通常モードで記録させる画像通信装置である
【０００９】
【発明の実施の形態および実施例】
図１は、本発明の一実施例であるファクシミリ装置ＦＳ１の概略構成を示すブロック図である。
【００１０】
ファクシミリ装置ＦＳ１において、ＣＰＵ１０１は、システム制御部であり、ファクシミリ装置ＦＳ１の全体を制御する。
【００１１】
ＲＯＭ１０２は、ＣＰＵ１０１が実行する制御プログラムや組み込みオペレーティングシステム（ＯＳ）プログラム等を格納する。上記実施例では、ＲＯＭ１０２に格納されている各制御プログラムは、ＲＯＭ１０２に格納されている組み込みＯＳの管理下で、スケジューリングやタスクスイッチ等のソフトウエア制御を行う。
【００１２】
ＲＡＭ１０３は、ＳＲＡＭ（ｓｔａｔｉｃ  ＲＡＭ）等で構成され、プログラム制御変数等を格納し、また、オペレータが登録した設定値やファクシミリ装置ＦＳ１の管理データ等を格納し、各種ワーク用バッファ領域が設けられている。
【００１３】
画像メモリ１０４は、ＤＲＡＭ（ｄｙｎａｍｉｃ  ＲＡＭ）等で構成され、画像データを蓄積する。
【００１４】
データ変換部１０５は、ページ記述言語（ＰＤＬ）等の解析や、キャラクタデータのＣＧ（ｃｏｍｐｕｔｅｒ  ｇｒａｐｈｉｃｓ）展開等、画像データの変換を行う。
【００１５】
読取制御部１０６は、読取部１０７が、ＣＩＳイメージセンサ（密着型イメージセンサ）によって原稿を光学的に読み取り、電気的な画像データに変換した画像信号を、図示しない画像処理制御部を介して、２値化処理や中間調処理等の各種画像処理を施し、高精細な画像データを出力する。なお、上記実施例では、読取制御部１０６は、原稿を搬送しながら読み取りを行うシート読取制御方式と、原稿台にある原稿をスキャンするブック読取制御方式の両制御方式に対応している。
【００１６】
操作表示部１０８は、数値入力キー、文字入力キー、ワンタッチ電話番号キー、モード設定キー、決定キー、取り消しキー等を備え、ユーザが画像送信相手先データの決定や設定データの登録動作を行う操作部と、各種キー、ＬＥＤ（発光ダイオード）とＬＣＤ（液晶ディスプレイ）等によって構成され、オペレータによる各種入力操作や、ファクシミリ装置ＦＳ１の動作状況、ステータス状況の表示等を行う表示部である。
【００１７】
通信制御部１０９は、ＭＯＤＥＭ（変復調装置）や、ＮＣＵ（網制御装置）等によって構成されている。上記実施例では、通信制御部１０９は、アナログの通信回線（ＰＳＴＮ）１３１に接続され、Ｔ３０プロトコルでの通信制御、通信回線に対する発呼と着呼等の回線制御を行っている。
【００１８】
解像度変換処理部１１０は、画像データのミリ−インチ解像度変換等の解像度変換制御を行う。なお、解像度変換部１１０において、画像データの拡大縮小処理も可能である。
【００１９】
符号復号化処理部１１１は、ファクシミリ装置ＦＳ１で扱う画像データ（ＭＨ、ＭＲ、ＭＭＲ、ＪＢＩＧ、ＪＰＥＧ等）を符号復号化処理し、拡大縮小処理を行う。
【００２０】
記録制御部１１２は、印刷される画像データに対し、図示しない画像処理制御部を介して、スムージング処理や記録濃度補正処理、色補正等の各種画像処理を施し、高精細な画像データに変換し、ＵＳＢホスト制御部１１４に出力する。また、ＵＳＢホスト制御部１１４を制御することによって、定期的に記録部１１５の状態情報データを取得する役割も果たす。
【００２１】
ＵＳＢファンクション制御部１１３は、ＵＳＢインタフェースの通信制御を行うものであり、ＵＳＢ通信規格に従って、プロトコル制御を行い、ＣＰＵ１０１が実行するＵＳＢ制御タスクからのデータを、パケットに変換し、外部の情報処理端末に、ＵＳＢパケット送信を行い、逆に、外部の情報処理端末からのＵＳＢパケットを、データに変換し、ＣＰＵ１０１に対して送信を行う。
【００２２】
ＵＳＢホスト制御部１１４は、ＵＳＢ通信規格で定められたプロトコルで通信を行う為の制御部である。ＵＳＢ通信規格は、双方向のデータ通信を高速に行うことができる規格であり、１台のホスト（マスター）に対し、複数のハブまたはファンクション（スレーブ）を接続することができる。ＵＳＢホスト制御部１１４は、ＵＳＢ通信におけるホストの機能を有する。
【００２３】
記録部１１５は、レーザビームプリンタやインクジェットプリンタ等からなる印刷装置であり、カラー画像データ、またはモノクロ画像データを印刷部材に印刷する。ＵＳＢホスト制御部１１４とは、ＵＳＢ通信規格で定められたプロトコルで通信を行い、特に、記録部１１５はファンクションの機能を有する。
【００２４】
本実施例においては、記録機能のＵＳＢ通信は、１対１の接続形態を用いる。
【００２５】
上記構成要素１０１〜１０６、１０８〜１１４は、ＣＰＵ１０１が管理するＣＰＵバス１２１を介して、相互に接続されている。
【００２６】
次に、本発明の第１の実施例であるファクシミリ装置ＦＳ１の記録動作について説明する。
【００２７】
図２は、ファクシミリ装置ＦＳ１の動作を示すフローチャートである。
【００２８】
ファクシミリ装置ＦＳ１において、ファクシミリ受信時やコピー時に記録動作が行われる。記録動作では、まず、動作モードがファクシミリ受信動作時の記録動作か否かを判別し（Ｓ２０１）、動作モードがファクシミリ受信動作時の記録動作の場合には静音記録処理を行い（Ｓ２０２）、それ以外の記録動作の場合（コピー動作時、ファクシミリメモリ受信記録時等）には通常記録処理を行う（Ｓ２０３）。
【００２９】
このように、本発明の第１の実施例において、ファクシミリ受信時の記録動作を行う場合には、通常よりも静かに記録動作を行わせるようにして、騒音低下効果を高め、ファクシミリ受信時以外の記録動作時は、通常通りの記録動作を行わせることで記録速度の低下を防止している。
【００３０】
次に、本発明の第２の実施例であるファクシミリ装置ＦＳ２の記録動作について、説明する。
【００３１】
ファクシミリ装置ＦＳ２の構成は、ファクシミリ装置ＦＳ１の構成と同様である。
【００３２】
図３は、本発明第２の実施例であるファクシミリ装置ＦＳ２における記録動作を示すフローチャートである。
【００３３】
まず、ＲＡＭ１０３に格納されているユーザから設定可能な呼出音設定が、鳴動か無鳴動かを判別する（Ｓ３０１）。呼出音設定が鳴動である場合には、通常記録処理を行う（Ｓ３０３）。呼出音設定が無鳴動である場合には、静音記録処理を行う（Ｓ３０２）。
【００３４】
このように、本発明の第２の実施例において、呼出音設定を無鳴動設定にしてある場合には、通常よりも静かに記録動作を行わせるようにし、騒音低下効果を高め、一方、呼出音設定を鳴動設定にしてある場合には、通常通りの記録動作を行わせることによって、記録速度の低下を防止している。
【００３５】
次に、本発明の第３の実施例であるファクシミリ装置ＦＳ３の記録動作について説明する。
【００３６】
ファクシミリ装置ＦＳ３の構成は、ファクシミリ装置ＦＳ１の構成と同様である。
【００３７】
図４は、本発明の第３の実施例であるファクシミリ装置ＦＳ３の動作を示すフローチャートである。
【００３８】
まず、ユーザから設定可能な呼出音設定（ＲＡＭ１０３に格納されている）が鳴動であるか無鳴動であるかを判別する（Ｓ４０１）。呼出音設定が鳴動である場合には、通常記録処理を行う（Ｓ４０４）。呼出音設定が無鳴動である場合に、動作モードが、ファクシミリ受信動作時の記録動作であるか否かを判別し（Ｓ４０２）、動作モードがファクシミリ受信動作時の記録動作である場合には、静音記録処理を行い（Ｓ４０３）、それ以外の記録動作である場合（コピー動作時、ファクシミリメモリ受信記録時等）には、通常記録処理を行う（Ｓ４０４）。
【００３９】
上記のように、本発明の第３の実施例において、呼出音設定を無鳴動設定にした場合であり、しかも、ファクシミリ受信時の記録動作を行う場合には、通常よりも静かに記録動作を行わせるようにし、騒音低下効果を高め、ファクシミリ受信時以外の記録動作時は、通常通りの記録動作を行わせ、これによって記録速度の低下を防止している。
【００４０】
次に、本発明の第４の実施例であるファクシミリ装置ＦＳ４の記録動作について説明する。
【００４１】
ファクシミリ装置ＦＳ４の構成は、ファクシミリ装置ＦＳ１の構成と同様である。
【００４２】
図５は、本発明の第４の実施例であるファクシミリ装置ＦＳ４のフローチャートである。
【００４３】
まず、ユーザから設定可能な記録モード（ＲＡＭ１０３に格納されている）が、通常記録モードであるか静音記録モードであるかを判別し（Ｓ５０１）、記録モードが静音記録モードである場合は、静音記録処理を行う（Ｓ５０３）。記録モードが通常記録モードであれば、ユーザから設定可能な呼出音設定（ＲＡＭ１０３に格納されている）が、鳴動であるか無鳴動であるかを判別する（Ｓ５０２）。呼出音設定が無鳴動である場合には、静音記録処理を行い（Ｓ５０３）、呼出音設定が鳴動である場合には、通常記録処理を行う（Ｓ５０４）。
【００４４】
上記のように、本発明の第４の実施例において、記録モードの設定を静音モードに設定した場合か、通常モードに設定した場合でも呼出音設定を無鳴動設定にした場合には、通常よりも静かに記録動作を行わせるようにし、騒音低下効果を高め、ファクシミリ受信時以外の記録動作時は、通常通りの記録動作を行わせることによって、記録速度の低下を防止している。
【００４５】
次に、本発明の第５の実施例であるファクシミリ装置ＦＳ５の記録動作について説明する。
【００４６】
ファクシミリ装置ＦＳ５の構成は、ファクシミリ装置ＦＳ１の構成と同様である。
【００４７】
図６は、本発明の第５の実施例であるファクシミリ装置ＦＳ５の動作を示すフローチャートである。
【００４８】
まず、ユーザから設定可能な記録モード（ＲＡＭ１０３に格納されている）が、通常記録モードであるか静音記録モードであるかを判別し（Ｓ６０１）、記録モードが静音記録モードである場合は、静音記録処理を行う（Ｓ６０４）。記録モードが通常記録モードであれば、ユーザから設定可能な呼出音設定（ＲＡＭ１０３に格納されている）が、鳴動であるか無鳴動であるかを判別する（Ｓ６０２）。呼出音設定が鳴動である場合には、通常記録処理を行う（Ｓ６０５）。呼出音設定が無鳴動である場合には、動作モードがファクシミリ受信動作時の記録動作であるか否かを判別し（Ｓ６０３）、動作モードがファクシミリ受信動作時の記録動作である場合には、静音記録処理を行い（Ｓ６０４）、それ以外の記録動作である場合（コピー動作時、ファクシミリメモリ受信記録時等）には、通常記録処理を行う（Ｓ６０５）。
【００４９】
上記のように、本発明の第５の実施例において、記録モードの設定を静音モードに設定した場合であるか、通常モードに設定した場合でも呼出音設定を無鳴動設定にした場合であり、しかも、動作モードがファクシミリ受信動作時の記録動作である場合には、通常よりも静かに記録動作を行わせるようにし、騒音低下効果を高め、それ以外の場合は、通常通りの記録動作を行わせることによって、記録速度の低下を防止している。
【００５０】
【発明の効果】
本発明によれば、呼出音の設定を無鳴動に設定している場合や、記録動作開始時の動作モードが、ファクシミリ受信動作である場合には、騒音低下効果を高めることができ、また、呼出音を鳴動設定にした場合や、コピー動作時等は、記録速度の低下を防ぐことができるという効果を奏する。
【図面の簡単な説明】
【図１】本発明の一実施例であるファクシミリ装置ＦＳ１の概略構成を示すブロック図である。
【図２】ファクシミリ装置ＦＳ１の動作を示すフローチャートである。
【図３】本発明第２の実施例であるファクシミリ装置ＦＳ２における記録動作を示すフローチャートである。
【図４】本発明の第３の実施例であるファクシミリ装置ＦＳ３の動作を示すフローチャートである。
【図５】本発明の第４の実施例であるファクシミリ装置ＦＳ４の動作を示すフローチャートである。
【図６】本発明の第５の実施例であるファクシミリ装置ＦＳ５の動作を示すフローチャートである。
【符号の説明】
ＦＳ１〜ＦＳ５…ファクシミリ装置、
１０１…ＣＰＵ、
１０２…ＲＯＭ、
１０３…ＲＡＭ、
１０４…画像メモリ、
１０５…データ変換部、
１０６…読取制御部、
１０７…読取部、
１０８…操作表示部、
１０９…通信制御部、
１１０…解像度変換処理部、
１１１…符号復号化処理部、
１１２…記録制御部、
１１３…ＵＳＢファンクション制御部、
１１４…ＵＳＢホスト制御部、
１１５…記録部。
【図１】
0003658375.tif 000002
【図２】
0003658375.tif 000003
【図３】
0003658375.tif 000004
【図４】
0003658375.tif 000005
【図５】
0003658375.tif 000006
【図６】
0003658375.tif 000007